(57)【要約】【課題】電動オイルポンプの消費電力・騒音を低減する。【解決手段】コントローラ２４は、油圧要素で必要とされる油圧が得られる電動オイルポンプ２２の駆動トルクを目標駆動トルクに設定し、実駆動トルクが目標駆動トルクになるように、かつ、実回転速度が前記油圧要素で必要とされる油圧を供給するのに必要な下限リミット回転速度以上になるように、電動オイルポンプ２２を制御する。油圧選択回路３０は、メカオイルポンプ２１の吐出圧及び電動オイルポンプ２２の吐出圧のいずれか高い方を選択して油圧要素に供給する。コントローラ２４は、電動オイルポンプ２２の回転速度が下限リミット回転速度であって、油圧選択回路３０によって電動オイルポンプ２２の吐出圧が選択されていない間、下限リミット回転速度を、油圧要素で必要とされる油圧を供給するのに必要な回転速度よりも低い待機回転速度まで下げる。【選択図】図１
2014105799.tif 000002
【特許請求の範囲】
【請求項１】
動力源によって駆動されるメカオイルポンプと電源によって駆動される電動オイルポンプとを備え、前記メカオイルポンプ又は前記電動オイルポンプで発生した油圧を駆動系に配置された油圧要素に供給する車両に用いられる電動オイルポンプの制御装置であって、
前記油圧要素で必要とされる油圧が得られる電動オイルポンプの駆動トルクを目標駆動トルクに設定し、実駆動トルクが前記目標駆動トルクになるように、かつ、実回転速度が前記油圧要素で必要とされる油圧を供給するのに必要な回転速度の下限値である下限リミット回転速度以上になるように、前記電動オイルポンプを制御する電動オイルポンプ駆動手段と、
前記メカオイルポンプの吐出圧及び前記電動オイルポンプの吐出圧のいずれか高い方を選択して前記油圧要素に供給する油圧選択手段と、
前記電動オイルポンプの回転速度が下限リミット回転速度であって、前記油圧選択手段によって前記電動オイルポンプの吐出圧が選択されていない間、前記電動オイルポンプの下限リミット回転速度を、前記油圧要素で必要とされる油圧を供給するのに必要な回転速度よりも低い待機回転速度まで下げる回転速度抑制手段と、
を備えたことを特徴とする電動オイルポンプの制御装置。
【請求項２】
請求項１に記載の電動オイルポンプの制御装置であって、
前記回転速度抑制手段は、前記油圧選択手段によって選択される吐出圧が前記メカオイルポンプの吐出圧から前記電動オイルポンプの吐出圧に変更された場合は、前記下限リミット回転速度を前記油圧要素で必要とされる油圧を供給するのに必要な回転速度まで戻す、
ことを特徴とする電動オイルポンプの制御装置。
【請求項３】
請求項１または２に記載の電動オイルポンプの制御装置であって、
前記回転速度抑制手段は、前記油圧選択手段によって前記メカオイルポンプの吐出圧及び前記電動オイルポンプの吐出圧のいずれが選択されているかを、前記電動オイルポンプの実駆動トルクと前記目標駆動トルクとの大小関係に基づき判断する、
ことを特徴とする電動オイルポンプの制御装置。
【請求項４】
請求項１または２に記載の電動オイルポンプの制御装置であって、
前記回転速度抑制手段は、前記油圧選択手段によって前記メカオイルポンプの吐出圧及び前記電動オイルポンプの吐出圧のいずれが選択されているかを、前記電動オイルポンプの実回転速度の変化に基づき判断する、
ことを特徴とする電動オイルポンプの制御装置。
【請求項５】
動力源によって駆動されるメカオイルポンプと電源によって駆動される電動オイルポンプとを備え、前記メカオイルポンプ又は前記電動オイルポンプで発生した油圧を駆動系に配置された油圧要素に供給する車両に用いられる電動オイルポンプの制御方法であって、
前記油圧要素で必要とされる油圧が得られる電動オイルポンプの駆動トルクを目標駆動トルクに設定し、実駆動トルクが前記目標駆動トルクになるように、かつ、実回転速度が前記油圧要素で必要とされる油圧を供給するのに必要な回転速度の下限値である下限リミット回転速度以上になるように、前記電動オイルポンプを制御し、
前記メカオイルポンプの吐出圧及び前記電動オイルポンプの吐出圧のいずれか高い方を選択して前記油圧要素に供給し、
前記電動オイルポンプの回転速度が下限リミット回転速度であって、前記メカオイルポンプの吐出圧が選択されている間、前記電動オイルポンプの下限リミット回転速度を、前記油圧要素で必要とされる油圧を供給するのに必要な回転速度よりも低い待機回転速度まで下げる、
ことを特徴とする電動オイルポンプの制御方法。
【発明の詳細な説明】
【技術分野】
【０００１】
本発明は、エンジン等の動力源が停止した時に電動オイルポンプを駆動し、変速機等で必要とされる油圧を発生させる電動オイルポンプの制御装置に関する。
【背景技術】
【０００２】
特許文献１は、エンジンによって駆動されるメカオイルポンプとバッテリからの電力で駆動される電動オイルポンプとを備えたアイドルストップ車両を開示している。アイドルストップ時は、エンジン停止に伴いメカオイルポンプが停止するので、電動オイルポンプを駆動し、電動オイルポンプから変速機に油圧を供給するようにしている。
【先行技術文献】
【特許文献】
【０００３】
【特許文献１】特開２０１１−１９０９００号公報
【発明の概要】
【発明が解決しようとする課題】
【０００４】
変速機に油圧を継続的に供給するためには、メカオイルポンプの吐出圧がゼロになる前に電動オイルポンプの駆動を開始する必要がある。
【０００５】
しかしながら、二つのオイルポンプが同時に駆動されると、メカオイルポンプの吐出圧が電動オイルポンプの吐出圧よりも高い場合で、電動オイルポンプの吐出圧が電動オイルポンプ油圧回路に設けられたリリーフ 弁の設定圧よりも高い場合には、前記リリーフ弁より余剰圧としてドレンされる場合があり、この場合、電動オイルポンプの吐出圧を下げる余地、すなわち、電動オイルポンプの消費電力及び騒音を低減する余地があった。
【０００６】
本発明は、このような技術的課題に鑑みてなされたもので、メカオイルポンプの吐出圧がゼロになる前に電動オイルポンプを動作させる場合に、電動オイルポンプの消費電力及び騒音を低減することを目的とする。
【課題を解決するための手段】
【０００７】
本発明のある態様によれば、動力源によって駆動されるメカオイルポンプと電源によって駆動される電動オイルポンプとを備え、前記メカオイルポンプ又は前記電動オイルポンプで発生した油圧を駆動系に配置された油圧要素に供給する車両に用いられる電動オイルポンプの制御装置であって、前記油圧要素で必要とされる油圧が得られる電動オイルポンプの駆動トルクを目標駆動トルクに設定し、電動オイルポンプの実駆動トルクが前記目標駆動トルクになるように、かつ、実回転速度が前記油圧要素で必要とされる油圧を供給するのに必要な回転速度の下限値である下限リミット回転速度以上になるように、前記電動オイルポンプを制御する電動オイルポンプ駆動手段と、前記メカオイルポンプの吐出圧及び前記電動オイルポンプの吐出圧のいずれか高い方を選択して前記油圧要素に供給する油圧選択手段と、前記電動オイルポンプの回転速度が下限リミット回転速度であって、前記油圧選択手段によって前記メカオイルポンプの吐出圧が選択されている間、前記電動オイルポンプの下限リミット回転速度を、前記油圧要素で必要とされる油圧を供給するのに必要な回転速度よりも低い待機回転速度まで下げる回転速度抑制手段と、を備えたことを特徴とする電動オイルポンプの制御装置が提供される。
【０００８】
本発明の別の態様によれば、動力源によって駆動されるメカオイルポンプと電源によって駆動される電動オイルポンプとを備え、前記メカオイルポンプ又は前記電動オイルポンプで発生した油圧を駆動系に配置された油圧要素に供給する車両に用いられる電動オイルポンプの制御方法であって、前記油圧要素で必要とされる油圧が得られる電動オイルポンプの駆動トルクを目標駆動トルクに設定し、電動オイルポンプの実駆動トルクが前記目標駆動トルクになるように、かつ、実回転速度が前記油圧要素で必要とされる油圧を供給するのに必要な回転速度の下限値である下限リミット回転速度以上になるように、前記電動オイルポンプを制御し、前記メカオイルポンプの吐出圧及び前記電動オイルポンプの吐出圧のいずれか高い方を選択して前記油圧要素に供給し、前記電動オイルポンプの回転速度が下限リミット回転速度であって、前記メカオイルポンプの吐出圧が選択されている間、前記電動オイルポンプの下限リミット回転速度を、前記油圧要素で必要とされる油圧を供給するのに必要な回転速度よりも低い待機回転速度まで下げる、ことを特徴とする電動オイルポンプの制御方法が提供される。
【発明の効果】
【０００９】
これらの態様によれば、メカオイルポンプと電動オイルポンプとが同時に駆動されており、かつ、油圧要素に供給する油圧としてメカオイルポンプの吐出圧が選択されている状況では、電動オイルポンプの吐出圧が電動オイルポンプの油圧回路に設けられたリリーフ弁からドレンされている可能性があるため、電動オイルポンプの回転速度は下限リミット回転速度に制限される。
【００１０】
そして、このような状況では、電動オイルポンプの下限リミット回転速度が、油圧要素で必要とされる油圧を供給するのに必要な回転速度よりも低い待機回転速度まで下げられるので、電動オイルポンプの回転速度は待機回転速度に制限され、電動オイルポンプの消費電力及び騒音を低減することができる。
【図面の簡単な説明】
【００１１】
【図１】ハイブリッド車両及びその油圧制御システムの概略構成図である。
【図２】油圧制御回路に設けられる油圧選択回路の概略構成図である。
【図３】電動オイルポンプの制御内容を示したフローチャートである。
【図４】下限リミット回転速度の設定処理の詳細を示したフローチャートである。
【図５】ＥＰ側フラッパ弁の開閉によって目標トルク−実トルク特性が変化することを示したテーブルである。
【図６】下限リミット回転速度を設定するためのテーブルである。
【図７】メカオイルポンプ停止時の電動オイルポンプの動作を説明するためのタイムチャートである。
【発明を実施するための形態】
【００１２】
以下、添付図面を参照しながら本発明の実施形態について説明する。
【００１３】
図１は、本発明の実施形態が適用されるハイブリッド車両１０及びその油圧制御システム２０の概略構成図である。
【００１４】
ハイブリッド車両１０は、動力源としてエンジン１１とモータジェネレータ１２とを備える。また、これら動力源と図示しない駆動輪との間には自動変速機１３が設けられる。
【００１５】
エンジン１１とモータジェネレータ１２との間にはクラッチ１４が設けられている。クラッチ１４の締結状態を変更することで、動力源としてエンジン１１及びモータジェネレータ１２を用いるハイブリッド走行モードとモータジェネレータ１２のみを用いるＥＶ走行モードとを切り替えることができる。
【００１６】
なお、自動変速機１３及びクラッチ１４はいずれも後述する油圧制御回路２３から供給される油圧によって動力の伝達状態を切り替えるものであり、以下の説明では、自動変速機１３及びクラッチ１４を総称して油圧要素と表現する。
【００１７】
油圧制御システム２０について説明すると、油圧制御システム２０はメカオイルポンプ２１、電動オイルポンプ２２、油圧制御回路２３及びコントローラ２４で構成される。
【００１８】
メカオイルポンプ２１は、自動変速機１３の入力軸に設けられ、エンジン１１又はモータジェネレータ１２によって駆動されて、回転速度に応じた油圧を発生させる。メカオイルポンプ２１で発生した油圧は油圧制御回路２３に送られる。
【００１９】
電動オイルポンプ２２は、図示しないバッテリからの電力供給を受けて駆動される。電動オイルポンプ２２は、入力回転が下がってメカオイルポンプ２１の吐出圧が下がった場合に駆動され、電動オイルポンプ２２で発生した油圧は油圧制御回路２３に送られる。
【００２０】
油圧制御回路２３は、複数の油圧制御バルブで構成される油圧回路である。油圧制御回路２３は、コントローラ２４からの油圧制御信号に基づき、メカオイルポンプ２１又は電動オイルポンプ２２から送られる油圧を元圧として油圧要素で必要とされる油圧を調整し、油圧要素に供給する。
【００２１】
また、油圧制御回路２３は、メカオイルポンプ２１及び電動オイルポンプ２２がともに油圧を発生させている状況において、いずれか高い方の油圧を元圧として自動的に選択するための油圧選択回路３０を備えている。
【００２２】
図２は、油圧制御回路２３に設けられる油圧選択回路３０の概略構成図である。
【００２３】
油圧選択回路３０は２入力１出力の回路で、入力側にはメカオイルポンプ２１及び電動オイルポンプ２２がそれぞれＭＰ油圧供給路３１及びＭＰ側フラッパ弁３２、ＥＰ油圧供給路３３及びＥＰ側フラッパ弁３４を介して接続されている。出力側は、図示しない油圧制御バルブに接続されている。
【００２４】
ＭＰ側フラッパ弁３２は弁体３２１と、弁体３２１を閉弁方向に付勢するバネ３２２とで構成される。メカオイルポンプ２１が油圧を発生させると、弁体３２１がバネ３２２に抗して油圧選択回路３０内に押し込まれ、ＭＰ側フラッパ弁３２は開弁する。同様にＥＰ側フラッパ弁３４も弁体３４１とバネ３４２とで構成され、電動オイルポンプ２２が油圧を発生させると開弁する。
【００２５】
ＥＰ油圧供給路３３には、リリーフ弁３５が設けられている。リリーフ弁３５が開弁する圧であるリリーフ圧は、メカオイルポンプ２１の吐出圧の低下時（停車時）に電動オイルポンプ２２で発生させる必要のある油圧よりも高く、かつ、電動オイルポンプ２２が最大トルクで駆動された場合に電動オイルポンプ２２が発生する油圧よりも低く設定される。
【００２６】
リリーフ弁３５を設けるのは、メカオイルポンプ２１が油圧を発生させている状況でも電動オイルポンプ２２を駆動することを可能にするためである。すなわち、リリーフ弁３５がないと、メカオイルポンプ２１が油圧を発生させている状況ではＥＰ側フラッパ弁３４が閉じており、電動オイルポンプ２２を駆動しようとしてもＥＰ油圧供給路３３の油圧が上がってデッドヘッドの状態となり、電動オイルポンプ２２を駆動することができない。本実施形態では、リリーフ弁３５を設け、ＥＰ側フラッパ弁３４が閉じていてＥＰ油圧供給路３３の油圧が上がった場合にはリリーフ弁３５を開いてＥＰ油圧供給路３３の油圧を図中矢印で示すようにドレンするようにすることで、電動オイルポンプ２２の駆動を可能にしている。
【００２７】
なお、リリーフ弁３５のリリーフ圧をメカオイルポンプ２１の吐出圧の低下時（停車時）に電動オイルポンプ２２で発生させる必要のある油圧よりも高く設定するのは、これよりもリリーフ圧が低いと、ＥＰ側フラッパ弁３４を開いて電動オイルポンプ２２の油圧を供給する場合にもリリーフ弁３５が開いてしまい、必要とされる油圧を供給することができなくなってしまうからである。
【００２８】
図３は、電動オイルポンプ２２の制御内容を示している。これを参照しながらコントローラ２４が行う電動オイルポンプ２２の制御内容について説明する。
【００２９】
まず、Ｓ１１では、コントローラ２４は、メカオイルポンプ２１の実回転速度がＥＰ作動しきい値よりも低いか判断する。ＥＰ作動しきい値は、車両が走行状態から停車状態に移行する場合に電動オイルポンプ２２の駆動を開始するしきい値であるとともに、車両が停車状態から走行状態に移行する場合に電動オイルポンプ２２の駆動を停止するしきい値でもある。メカオイルポンプ２１の実回転速度がＥＰ作動しきい値よりも低い場合は処理がＳ１２に進む。
【００３０】
Ｓ１２では、コントローラ２４は、電動オイルポンプ２２の目標駆動トルクを設定する。目標駆動トルクは、エンジン１１及びモータジェネレータ１２から油圧要素への入力トルク、油圧要素へ供給される油の温度等に基づき、油圧要素で必要とされる油圧を求め、当該油圧を電動オイルポンプ２２から供給するのに必要な駆動トルクに設定される。
【００３１】
Ｓ１３では、コントローラ２４は、電動オイルポンプ２２の下限リミット回転速度を設定する。下限リミット回転速度は、ポンプの製造ばらつきや油温の変動があっても、油圧要素で必要とされる油圧が確実に供給することのできる電動オイルポンプ２２の回転速度の下限値である。下限リミット回転速度は図４に示すサブルーチンによって設定されるが、これについては後で説明する。
【００３２】
Ｓ１４では、コントローラ２４は、電動オイルポンプ２２の実回転速度と実駆動トルクとを推定する。実回転速度は電動オイルポンプ２２の電流値の変化から求めることができ、実駆動トルクは電動オイルポンプ２２のモータの駆動トルク−回転速度特性に基づき求めることができる。
【００３３】
Ｓ１５では、コントローラ２４は、電動オイルポンプ２２の実回転速度が下限リミット回転速度よりも高い場合は、電動オイルポンプ２２の実駆動トルクが目標駆動トルクになるように電動オイルポンプ２２の駆動電流を制御（トルク制御）する。これに対し、電動オイルポンプ２２の実回転速度が下限リミット回転速度よりも低い場合は、実回転速度が下限リミット回転速度になるように電動オイルポンプ２２の駆動電流を制御（回転速度制御）する。
【００３４】
電動オイルポンプ２２の駆動トルクを目標駆動トルクに制御しても、ポンプの製造ばらつきや油温の変動によって電動オイルポンプ２２の吐出圧が下がり、必要とされる油圧を供給できない可能性があるが、電動オイルポンプ２２の回転速度が下限リミット回転速度よりも下がらないように前記トルク制御に加え回転速度制御を合わせて行うことで、油圧要素で必要とされる油圧を確実に供給することができる。
【００３５】
上記制御によれば、メカオイルポンプ２１の回転速度がＥＰ作動しきい値よりも低い状況では電動オイルポンプ２２が駆動され、油圧要素で必要とされる油圧が確保できるように、電動オイルポンプ２２のトルク及び回転速度が制御される。
【００３６】
ところで、メカオイルポンプ２１の回転速度がＥＰ作動しきい値よりも低い状況であっても、メカオイルポンプ２１の回転速度が十分に下がっていない状況では、メカオイルポンプ２１の発生する油圧が電動オイルポンプ２２の発生する油圧よりも高く、ＥＰ側フラッパ弁３４が閉じられるため、電動オイルポンプ２２の駆動を開始しても電動オイルポンプ２２の負荷が高く、電動オイルポンプ２２の実回転速度がリミット回転速度下限値まで上がりにくいことがある。
【００３７】
このため、かかる状況では、上記下限リミット回転速度による回転速度制御が行われ、電動オイルポンプ２２の駆動電流を増大させて、電動オイルポンプ２２の回転速度が下限リミット回転速度まで高められる。また、この駆動電流の増大を受けて電動オイルポンプ２２の実駆動トルクが最大駆動トルクまで高められる。
【００３８】
そして、リリーフ弁３５のリリーフ圧は電動オイルポンプ２２が最大駆動トルクで駆動されたときの油圧よりも低く設定されているので、電動オイルポンプ２２の実駆動トルクが最大駆動トルクまで高められるとリリーフ弁３５が開弁し、電動オイルポンプ２２の吐出圧はリリーフ弁３５よりドレンされる。
【００３９】
メカオイルポンプ２１の回転速度が十分に下がってメカオイルポンプ２１の発生する油圧が電動オイルポンプ２２の発生する油圧よりも低くなれば、ＥＰ側フラッパ弁３４が開かれ、リリーフ弁３５が閉弁し、電動オイルポンプ２２の発生する油圧が油圧制御回路２３に供給されるようになる。
【００４０】
ここで、ＥＰ側フラッパ弁３４が閉じられている間に電動オイルポンプ２２が発生する油圧は、リリーフ弁３５が開弁されている間は、リリーフ弁３５からドレンされるだけであり、この間、電動オイルポンプ２２は無駄に駆動されているといえる。
【００４１】
そこで、本実施形態では、ＥＰ側フラッパ弁３４が閉じられている間の電動オイルポンプ２２の下限リミット回転速度をさらに低い待機回転速度（例えば、５００ｒｐｍ）まで下げ、電動オイルポンプ２２の回転速度を抑制することで、電動オイルポンプ２２の消費電力・騒音を低減する。
【００４２】
図４は、図３のＳ１３における下限リミット回転速度の設定処理の詳細を示している。
【００４３】
まず、Ｓ２１では、コントローラ２４は、ＥＰ側フラッパ弁３４が閉じているか判断する。ＥＰ側フラッパ弁３４が閉じている状況では、上記の通り、電動オイルポンプ２２の負荷が高くなるため、電動オイルポンプのトルク制御と回転速度制御とによって、電動オイルポンプ２２の回転速度が下限リミット回転速度となることで、電動オイルポンプ２２の実駆動トルクが最大駆動トルクまで高められ、図５に示すように、電動オイルポンプ２２の実駆動トルクが目標駆動トルクよりも大きくなるので、ＥＰ側フラッパ弁３４が閉じていると判断することができる。ＥＰ側フラッパ弁３４が開いている場合は処理がＳ２２に進み、閉じている場合は処理がＳ２４に進む。
【００４４】
Ｓ２２では、コントローラ２４は、カウンタをリセットする。このカウンタは、後述するように電動オイルポンプ２２の実回転速度が下限リミット回転速度に制限されている時間を計測するためのものである。
【００４５】
Ｓ２３では、コントローラ２４は、下限リミット回転速度を図６に示す油圧要素で必要とされる油圧及び油温と下限リミット回転速度との関係を規定したテーブルを参照して得られるマップ値に設定する。
【００４６】
Ｓ２４では、コントローラ２４は、電動オイルポンプ２２の実回転速度が下限リミット回転速度になっているか判断する。下限リミット回転速度になっていない場合は処理がＳ２２に進み、なっている場合は処理がＳ２５に進む。
【００４７】
Ｓ２５では、コントローラ２４は、カウンタをインクリメントし、電動オイルポンプ２２の実回転速度が下限リミット回転速度に制限されてからの経過時間を計測する。
【００４８】
Ｓ２６では、コントローラ２４は、電動オイルポンプ２２の実回転速度が下限リミット回転速度に制限されてから所定時間経過したか判断する。所定時間経過したと判断された場合は処理がＳ２７に進む。所定時間は、電動オイルポンプ２２の実回転速度が下限リミット回転速度に制限されていると判断するのに十分な時間である。
【００４９】
Ｓ２７では、コントローラ２４は、電動オイルポンプ２２の下限リミット回転速度をＳ２３を参照して得られるマップ値よりも低い待機回転速度（例えば、５００ｒｐｍ）設定する。
【００５０】
以上の処理によれば、ＥＰ側フラッパ弁３４が閉じており、かつ、電動オイルポンプ２２の実回転速度が下限リミット回転速度である状態を検知した場合は、処理がＳ２６からＳ２７へと進み、下限リミット回転速度が待機回転速度まで下げられ、電動オイルポンプ２２の実回転速度が待機回転速度に制限される。
【００５１】
また、電動オイルポンプ２２の実回転速度が待機回転速度に制限されている間にＥＰ側フラッパ弁３４が開くと、電動オイルポンプ２２の負荷が下がって電動オイルポンプ２２の実回転速度が待機回転速度よりも上昇するので、処理がＳ２４からＳ２２、Ｓ２３へと進み、下限リミット回転速度がマップ値に戻される。
【００５２】
続いて上記実施形態の作用効果について説明する。
【００５３】
図７は車速が徐々に低下し、車両が停車状態且つエンジン停止状態となってメカオイルポンプ２１が停止し、その後、再び発進するときに電動オイルポンプ２２が動作する様子を示している。
【００５４】
車速が徐々に低下していくと、メカオイルポンプ２１の実回転速度がＥＰ作動しきい値よりも低くなるので、電動オイルポンプ２２の駆動が開始される（時刻ｔ１）。
【００５５】
この状態では、ＥＰ側フラッパ弁３４が閉じており、電動オイルポンプ２２の負荷が大きいので、電動オイルポンプ２２の実回転速度は下限リミット回転速度に制限される。また、電動オイルポンプ２２の実駆動トルクは、実回転速度を下限リミット回転速度に維持すべく最大駆動トルクとなり、これによりリリーフ弁３５が開かれる。
【００５６】
この状態が所定時間継続すると、電動オイルポンプ２２の実回転速度が下限リミット回転速度に制限されていると判断され、下限リミット回転速度が待機回転速度まで下げられる（時刻ｔ２）。これにより、図中斜線部Ａに対応する分の電動オイルポンプ２２の消費電力・騒音が低減される。
【００５７】
メカオイルポンプ２１の実回転速度がさらに下がり、メカオイルポンプ２１の発生する油圧が電動オイルポンプ２２の発生する油圧よりも低くなると、ＥＰ側フラッパ弁３４が開かれ、油圧要素によって必要とされる油圧が電動オイルポンプ２２から供給される（時刻ｔ３）。このとき下限リミット回転速度は油圧要素で必要とされる油圧を供給することのできるマップ値まで戻され、電動オイルポンプ２２の回転速度がマップ値まで上昇するので、ポンプの製造ばらつきや油温の変動があっても油圧要素で必要とされる油圧を確実に供給することができる。
【００５８】
停車中は、油圧要素で必要とされる油圧はもっぱら電動オイルポンプ２２によって供給される（時刻ｔ４〜ｔ５）。
【００５９】
その後、車両が発進し、メカオイルポンプ２１の実回転速度が上昇し、メカオイルポンプ２１の発生する油圧が電動オイルポンプ２２の発生する油圧よりも高くなると、ＭＰ側フラッパ弁３２が開かれ、ＥＰ側フラッパ弁３４が閉じられる。これにより、油圧要素にはメカオイルポンプ２１から油圧が供給される。また、電動オイルポンプ２２の実回転速度が下限リミット回転速度に再び制限され、電動オイルポンプ２２の実駆動トルクが最大駆動トルクとなり、リリーフ弁３５が開かれる（時刻ｔ６）。
【００６０】
そして、この状態が所定時間継続すると、下限リミット回転速度が再び待機回転速度まで下げられる（時刻ｔ７）。これにより、図中斜線部Ｂに対応する分の電動オイルポンプ２２の消費電力・騒音が低減される。
【００６１】
そして、メカオイルポンプ２１の実回転速度がさらに上昇し、ＥＰ側フラッパ弁３４が閉弁し、メカオイルポンプ２１からの吐出圧が、トルク伝達に必要な油圧が十分確保されると判断されるＥＰ作動しきい値を超えると、電動オイルポンプ２２が停止される（時刻ｔ８）。
【００６２】
以上説明したように、本実施形態では、メカオイルポンプ２１と電動オイルポンプ２２が同時に駆動され、油圧選択回路３０によってメカオイルポンプ２１が選択されている状況では、電動オイルポンプ２２の回転速度制御によって、電動オイルポンプ２２が最大駆動トルクで作動されるため、電動オイルポンプ２２の負荷が高く、電動オイルポンプ２２の回転速度が下限リミット回転速度に制限される。
【００６３】
そして、このとき、下限リミット回転速度が油圧要素で必要とされる油圧を供給するのに必要な回転速度よりも低い待機回転速度まで下げられるので、電動オイルポンプ２２の回転速度が待機回転速度に制限され、電動オイルポンプ２２の消費電力・騒音を低減することができる（請求項１、５に対応する効果）。
【００６４】
また、油圧選択回路３０によって選択される吐出圧がメカオイルポンプ２１の吐出圧から電動オイルポンプ２２の吐出圧に切り替えられると、下限リミット回転速度が油圧要素で必要とされる油圧を供給するのに必要な回転速度に戻されるので、油圧要素で必要とされる油圧を確実に供給することができる（請求項２に対応する効果）。
【００６５】
また、油圧選択回路３０によっていずれのポンプの吐出圧が選択されているかは、電動オイルポンプ２２の実駆動トルクと目標駆動トルクとの大小関係に基づき判断することができる。あるいは、選択されるポンプの吐出圧が変更されると、電動オイルポンプ２２の負荷が変化し、実回転速度が変化するので、電動オイルポンプ２２の実回転速度に判断するようにしてもよい。いずれの方法によっても油圧選択回路３０の状態を検出するためのセンサが不要になるという効果がある（請求項３、４に対応する効果）。
【００６６】
以上、本発明の実施形態について説明したが、上記実施形態は本発明の適用例の一つを示したものに過ぎず、本発明の技術的範囲を上記実施形態の具体的構成に限定する趣旨ではない。
【符号の説明】
【００６７】
１３  自動変速機（油圧要素）
１４  クラッチ（油圧要素）
２１  メカオイルポンプ
２２  電動オイルポンプ
２４  コントローラ（制御装置、電動オイルポンプ駆動手段、回転速度抑制手段）
３０  油圧選択回路（油圧選択手段）
【図１】
2014105799.tif 000003
【図２】
2014105799.tif 000004
【図３】
2014105799.tif 000005
【図４】
2014105799.tif 000006
【図５】
2014105799.tif 000007
【図６】
2014105799.tif 000008
【図７】
2014105799.tif 000009